(57)【要約】      （修正有）【課題】シーリング袋を開閉する時に振動し、提示音を出すことができ、かつユーザに対する提示効果が優れているチャック付きシーリング袋を提供する。【解決手段】一側に開口２を有する袋本体１を備えるチャック付きシーリング袋であって、前記開口にシーリング装置が設置され、このシーリング装置は、前記開口の両側に設置された噛み合い可能な密封帯と、前記密封帯の係合や分離に用いられるチャック３と、を備え、前記チャックには、押圧部が設けられており、前記チャックを引くことにより前記密封帯の係合や分離が実現され、そして前記シーリング袋の開閉が実現され、前記開口には、密封帯の方向に沿って設置された突条を有し、この突条に間隔をもって複数の切欠部が設置されており、前記チャックには、前記突条に対応する位置に、当接部が設置されており、前記チャックを引く時に、前記チャックが振動するように、前記当接部が順次に該突条の各切欠部の両側部に摺動する。【選択図】図１
0003204376.tif 000002
【実用新案登録請求の範囲】
【請求項１】
一側に開口を有する袋本体を備えるチャック付きシーリング袋であって、前記開口にシーリング装置が設置され、このシーリング装置は、
前記開口の両側に設置された噛み合い可能な密封帯と、
前記密封帯の係合や分離に用いられるチャックと、を備え、
前記チャックには、押圧部が設けられており、前記チャックを引くことにより前記密封帯の係合や分離が実現され、そして前記シーリング袋の開閉が実現され、
前記開口には、密封帯の方向に沿って設置された突条を有し、この突条に間隔をもって複数の切欠部が設置されており、
前記チャックには、前記突条に対応する位置に、当接部が設置されており、前記チャックを引く時に、前記チャックが振動するように、前記当接部が順次に該突条の各切欠部の両側部に摺動すること、を特徴とするチャック付きシーリング袋。
【請求項２】
前記突条の断面は三角形であり、前記シーリング袋が閉合されている場合、前記突条の自由頂角が互いに当接するようになっている請求項１に記載のチャック付きシーリング袋。
【請求項３】
前記開口は、２本の突条を備え、当該２本の突条がそれぞれ開口の内側に位置し、前記突条にける切欠部が等間隔に分布されている請求項１に記載のチャック付きシーリング袋。
【請求項４】
前記突条は密封帯の上方に位置し、前記チャックにおける当接部は押圧部の上方に位置する請求項３に記載のチャック付きシーリング袋。
【請求項５】
前記密封帯は、互いに並行に設置されたストリップ状の複数の凸部を備え、隣接する二つのストリップ状の凸部毎に、溝が形成されており、二つの密封帯には、ストリップ状の凸部が溝に係合することにより、二つの密封帯の間の係合構成が形成される請求項１に記載のチャック付きシーリング袋。
【請求項６】
前記密封帯は、突条と一体に成型され、熱圧接により前記開口に固定される請求項１に記載のチャック付きシーリング袋。
【請求項７】
前記密封帯の両端に封印端がそれぞれ設置されており、前記封印端は、２本の密封帯の端部を封印することにより形成された請求項１に記載のチャック付きシーリング袋。
【請求項８】
前記密封帯の突条とストリップ状の凸部の間に、防水条が設置される請求項４に記載のチャック付きシーリング袋。
【請求項９】
前記チャックの両端にそれぞれ譲位切欠部を設置する請求項１に記載のチャック付きシーリング袋。
【請求項１０】
前記シーリング装置の外側面にそれぞれにガイド凸部を設置し、このガイド凸部をチャックの下端部に嵌入させる請求項１に記載のチャック付きシーリング袋。
【考案の詳細な説明】
【技術分野】
【０００１】
本考案は、シーリング袋に関し、特に、開閉する時に提示音を出すことができるシーリング袋に関する。
【背景技術】
【０００２】
日常生活には、物品を密封し梱包するためにシーリング袋を用いる場合が多い。現在の市場には、よく見られるものであるチャック付きシーリング袋は、開口での一側に溝付きの長尺状の凹ホックが設置されている共に、対向する他側に凸角付きの長尺状の突条が設置されている。チャックにより押し込まれて、突条が凹ホックに噛み込んで、密封帯が形成され、シーリング袋が閉合される。
【０００３】
しかし、密封帯を構成する従来の凹ホック及び突条は、スムーズな構成であるため、噛み合う時に滑り易いので、密封帯の係合が不充分になってしまい、シーリングの構成も不堅固となり、密封性が悪い。同時に、スムーズな構成となる密封帯は、開閉する時に提示音を出すことができないため、音声により密封帯の係合が所定の位置にあるかを判定することは出来なく、使用時の便利性が悪い、という問題があった。
【考案の概要】
【考案が解決しようとする課題】
【０００４】
本考案は、上記課題を解決するものであり、構成が簡単で、密封性が優れて、開閉する時に提示音を出すことができるチャック付きシーリング袋を提供する。
【課題を解決するための手段】
【０００５】
前記課題を解決するため、本考案が採用する技術案は、一側に開口を有する袋本体を備えるチャック付きシーリング袋であって、前記開口にシーリング装置が設置され、このシーリング装置は、
前記開口の両側に設置された噛み合い可能な密封帯と、
前記密封帯の係合や分離に用いられるチャックと、を備え、
前記チャックには、押圧部が設けられており、前記チャックを引くことにより前記密封帯の係合や分離が実現され、そして前記シーリング袋の開閉が実現され、
前記開口には、密封帯の方向に沿って設置された突条を有し、この突条に間隔をもって複数の切欠部が設置されており、
前記チャックには、前記突条に対応する位置に、当接部が設置されており、前記チャックを引く時に、前記チャックが振動するように、前記当接部が順次に該突条の各切欠部の両側部に摺動する。
【０００６】
本考案では、前記突条の断面は三角形であり、前記シーリング袋が閉合されている場合、前記突条の自由頂角が互いに当接するようになっている。この構成により、前記突条の断面の面積が広くなり、より大きな提示音を発生することができる。
【０００７】
本考案では、前記開口は、２本の突条を備え、当該２本の突条がそれぞれ開口の内側に位置し、前記突条における切欠部が等間隔に分布されている。これによって、シーリング袋を開閉する時に提示音が穏やかなでクリアである。
【０００８】
本考案では、前記突条は密封帯の上方に位置し、前記チャックにおける当接部は押圧部の上方に位置する。
【０００９】
本考案では、前記密封帯は、互いに並行に設置されたストリップ状の複数の凸部を備え、隣接する二つのストリップ状の凸部毎に、溝が形成されており、二つの密封帯には、ストリップ状の凸部が溝に係合することにより、二つの密封帯の間の係合構成が形成される。
【００１０】
本考案では、前記密封帯は、突条と一体に成型され、熱圧接により前記開口に固定される。これにより、密封帯の構造強度を保証すると共に、シーリング袋全体の密封性も保証される。
【００１１】
本考案では、前記密封帯の両端に開けられない封印端がそれぞれ設置されており、前記封印端は、２本の密封帯の端部を封印することにより形成された。
【００１２】
本考案では、前記密封帯の突条とストリップ状の凸部の間に、防水条が設置される。よって、シーリング袋の防水性能をより向上させる。
【００１３】
本考案では、前記チャックの両端にそれぞれ譲位切欠部を設置する。よって、シーリング袋を閉める時にその端部に隙間が残らないようにさせることができ、シーリング袋の密封性能を向上させることができる。
【００１４】
本考案では、前記シーリング装置の外側面にそれぞれにガイド凸部を設置する。よって、チャックのスライド軌跡を安定にさせる。
【考案の効果】
【００１５】
本考案によれば、密封帯に切欠部付きの突条を設置することにより、チャックが摺動する時に振動し、ユーザにシーリング袋を閉めている、又は開けている旨を示すクリアな音を出すことができる。ユーザに対する提示効果が優れている。
【図面の簡単な説明】
【００１６】
【図１】本考案の一実施形態によるチャック付きシーリング袋の全体構成を示す模式図である。
【図２】本考案の一実施形態によるシーリング装置の断面図である。
【図３】本考案の一実施形態による突条の正面図である。
【図４】本考案の一実施形態によるチャックの正面図である。
【考案を実施するための形態】
【００１７】
以下、本考案をより明確に説明するために、本考案について図面及び実施例を参照して具体的に説明する。下記の実施例は、本考案の部分実施例だけであり、当業者にとって、創造的な活動をしなくてもこれらの実施例から他の実施例を取得できることは、明らかである。
【００１８】
図１に示すように、一側に開口２を有する袋本体１を備えるチャック付きシーリング袋であって、開口２にシーリング装置が設置されている。シーリング装置は、開口２の両側に設置された噛み合い可能な密封帯と、密封帯の係合や分離に用いられるチャック３とを備える。
密封帯と袋本体１は、熱圧接又は一体成型などの手段により接続し固定され、密封帯の構造強度を保証すると共に、シーリング袋全体の密封性も保証している。密封帯は、少なくとも２本であり、対称的にチャック３に挟まれている。チャック３には、押圧部が設けられており、チャック３を引くことにより密封帯の係合や分離が実現され、そしてシーリング袋の開閉も実現される。
【００１９】
図２、図３に示すように、開口２の両側には、密封帯の方向に沿って設置された突条８を有し、この突条８に間隔をもって複数の切欠部９が設置されている（該切欠部９は、熱圧接の手段により形成される）。チャック３には、突条８に対応する位置に、当接部が設置されている。チャック３を引く時に、当接部が順次に該突条８における各切欠部９の両側部に摺動して、チャック３が振動する。即ち、該突条８は、密封帯と共に対称にチャック３に挟まれている。
【００２０】
密封帯は、突条８と一体に成型され、熱圧接によりシーリング袋の開口２に固定されることは、好適である。切欠部９の存在のため、チャック３が切欠部９上に摺動する時に跳ねる。これにより、チャック３が突条８上に摺動する時にユーザにシーリング袋が閉めている、又は開けている旨を示すクリアな音が出される。図１、図２を参考すると、チャック３が突条８上に移動する時の安定性を保証するために、シーリング装置の外側面にそれぞれにガイド凸部５を設置し、このガイド凸部５をチャック３の下端部に嵌入させることにより、チャック３のスライド軌跡を安定にさせる。
【００２１】
ある具体的実施例において、シーリング袋の密封帯のサイズが限られ、摺動中のチャック３の振動の幅も限られているため、シーリング袋が開閉する時の提示音の音量に対して、突条８の外形特徴には重大な影響がある。突条８の外形をより良くさせるために、図２に示すように、突条８の断面を三角形とし、このような構成は、突条８の断面の面積が広くなり、より大きな提示音を発生することができる。かつ、シーリング袋が閉合されている時に、これら突条８の自由頂点が互いに当接するようになっており、一定の密封効果がある。突条８の断面は直角三角形であり、この断面の直角隣辺は、シーリング袋の袋本体１に向かうことは、好適であり、チャック３の摺動に停滞の影響を避けるこがとできるからである。
【００２２】
ある具体的実施例において、チャック３が突条８上に移動する時に提示音を出すことができれば、突条８の切欠部９のサイズ及び分布に関して、特に限定されていない。図３に示すように、シーリング袋の開口２に２本の突条８が設置されており、これら２本の突条８はそれぞれ開口２の内側に位置することが好適である。突条８の標準化生産に適応するために、突条８上の各切欠部９が等間隔に分布されている。これによって、シーリング袋を開閉する時のチャック３の振動の幅が均一で、発生する提示音が穏やかなでクリアである。
【００２３】
ある具体的実施例において、突条８は、密封帯の上方に位置し、チャック３における当接部は押圧部の上方に位置する。密封帯は、互いに並行に設置されたストリップ状の複数の凸部６を備え、隣接する二つのストリップ状の凸部６毎に、溝が形成されている。二つの密封帯には、ストリップ状の凸部６が溝に係合することにより、二つの密封帯の間の係合構成が形成される。好ましくは、二つの密封帯には、２本又は４本のストリップ状の凸部６がそれぞれ設置されており、開口２に二つの雌雄噛み合い構造が形成されて、密封性能がより保証される。シーリング袋の密封性能を更に向上させるために、密封帯におけるストリップ状の凸部６は、二つ以上であることがより好適である。
【００２４】
ある具体的実施例において、シーリング袋の密封帯の両端は弱い構造であるため、ユーザの不注意により力を使いすぎてしまう場合、密封帯からチャック３が引っ張られ、シーリング袋が破損される恐れがある。そのため、図１のように、密封帯の両端に開けられない封印端４が設置されている。封印端４は、２本の密封帯の端部を封印することにより形成されている。封印端４の優れた緊密性を確保するために、当該封印端４は、熱圧接により成型され、又は超音波で封印されることができる。
【００２５】
ある具体的実施例において、図２のように、シーリング袋の防水性能をより向上させるために、密封帯には、突条８とストリップ状の凸部６の間に防水条７が設置される。当該防水条７も、超音波で密封帯に作られることができる。
【００２６】
ある具体的実施例において、チャック３が封印端４まで摺動する場合、隙間が残ることがあるため、シーリング袋の密封がぴっちりしなくなる。そのため、図４のように、チャック３と密封帯の端部の封印端４との間に隙間が残らないように、チャック３の両端にそれぞれ譲位切欠部１０を設置して、シーリング袋を閉める時にその端部に隙間が残らないようにさせることができ、シーリング袋の密封性能を向上させることができる。
【００２７】
本考案によれば、シーリング袋のシーリング装置に密封帯と並行する切欠部９付きの突条８を設置することにより、チャック３が摺動する時に振動し、ユーザにシーリング袋を閉めている、又は開けている旨を示すクリアな音を出すことができる。従って、このシーリング袋は、使い易く、特に弱光や無光の時に更に使い易くなる。また、密封帯の両端に封印端４を設置することより、密封帯からチャック３が脱出することが防止されると共に、チャック３の両端に譲位切欠部１０を設置して、チャック３と封印端４との間に隙間が残らないようにさせることができ、シーリング袋全体の密封性能を向上させることができる。
【００２８】
上記内容は、本考案の好適な実施例であり、本考案の原理から逸脱することなく本考案の様々な修正形態及び変更形態が、当業者には、明らかとなり得る。本考案は、本明細書に記載した例示的な実施形態に限定されないことが理解されるべきである。
【図１】
0003204376.tif 000003
【図２】
0003204376.tif 000004
【図３】
0003204376.tif 000005
【図４】
0003204376.tif 000006
【手続補正書】
【提出日】平成28年3月16日(2016.3.16)
【手続補正１】
【補正対象書類名】実用新案登録請求の範囲
【補正対象項目名】全文
【補正方法】変更
【補正の内容】
【実用新案登録請求の範囲】
【請求項１】
一側に開口を有する袋本体を備えるチャック付きシーリング袋であって、前記開口にシーリング装置が設置され、このシーリング装置は、
前記開口の両側に設置された噛み合い可能な密封帯と、
前記密封帯の係合や分離に用いられるチャックと、を備え、
前記チャックには、押圧部が設けられており、前記チャックを引くことにより前記密封帯の係合や分離が実現され、そして前記シーリング袋の開閉が実現され、
前記開口には、密封帯の方向に沿って設置された突条を有し、この突条に間隔をもって複数の切欠部が設置されており、
前記チャックには、前記突条に対応する位置に、当接部が設置されており、前記チャックを引く時に、前記チャックが振動するように、前記当接部が順次に該突条の各切欠部の両側部に摺動すること、を特徴とするチャック付きシーリング袋。
【請求項２】
前記突条の断面は三角形であり、前記シーリング袋が閉合されている場合、前記突条の自由頂角が互いに当接するようになっている請求項１に記載のチャック付きシーリング袋。
【請求項３】
前記開口は、２本の突条を備え、当該２本の突条がそれぞれ開口の内側に位置し、前記突条における切欠部が等間隔に分布されている請求項１に記載のチャック付きシーリング袋。
【請求項４】
前記突条は密封帯の上方に位置し、前記チャックにおける当接部は押圧部の上方に位置する請求項３に記載のチャック付きシーリング袋。
【請求項５】
前記密封帯は、互いに並行に設置されたストリップ状の複数の凸部を備え、隣接する二つのストリップ状の凸部毎に、溝が形成されており、二つの密封帯には、ストリップ状の凸部が溝に係合することにより、二つの密封帯の間の係合構成が形成される請求項１に記載のチャック付きシーリング袋。
【請求項６】
前記密封帯は、突条と一体に成型され、熱圧接により前記開口に固定される請求項１に記載のチャック付きシーリング袋。
【請求項７】
前記密封帯の両端に封印端がそれぞれ設置されており、前記封印端は、２本の密封帯の端部を封印することにより形成された請求項１に記載のチャック付きシーリング袋。
【請求項８】
前記密封帯の突条とストリップ状の凸部の間に、防水条が設置される請求項５に記載のチャック付きシーリング袋。
【請求項９】
前記チャックの両端にそれぞれ譲位切欠部を設置する請求項１に記載のチャック付きシーリング袋。
【請求項１０】
前記シーリング装置の外側面にそれぞれにガイド凸部を設置し、このガイド凸部をチャックの下端部に嵌入させる請求項１に記載のチャック付きシーリング袋。